(57)【特許請求の範囲】
【請求項１】
砕石、砂等の骨材を種類毎に貯蔵する複数の骨材ホッパより各種骨材を切り出し、加熱装置であるドライヤにより乾燥した後、プラント本体上部に配設した振動篩により粒径別に篩い分け、複数に区画された骨材貯蔵ビンの各区画室に前記骨材を粒径別に貯蔵するようにしたアスファルトプラントにおいて、前記各骨材ホッパから切り出される骨材の粒度構成、切り出し割合、及び総骨材供給量より振動篩の各サイズの篩網に供給される篩網別骨材供給量を演算する一方、振動篩の各サイズの篩網の篩い分け能力を予め記憶しておき、この各篩網の篩い分け能力と前記篩網別骨材供給量とを比較し、篩網別骨材供給量が各篩網の篩い分け能力を越える時には警報を出力するようにしたことを特徴とするアスファルトプラントにおける供給骨材の管理方法。
【発明の詳細な説明】
【０００１】
【産業上の利用分野】
本発明は道路舗装材であるアスファルト合材をアスファルトプラントにより製造する際、骨材貯蔵ビンの各区画室に貯蔵する骨材の粒度を適正に維持するためのアスファルトプラントにおける供給骨材の管理方法に関する。
【０００２】
【従来の技術】
アスファルトプラントは概略、図５に示すように構成され、アスファルト合材を製造する際には、骨材を種類毎に貯蔵する複数の骨材ホッパ１ａ〜１ｄより切り出しフィーダ２ａ〜２ｄを駆動して所定の割合の骨材を切り出し、切り出した骨材を引き出しコンベヤ３、計量コンベヤ４を経由させて骨材加熱装置であるドライヤ５に投入して所望の温度まで加熱し、バケットエレベータ６によりプラント本体上部まで持ち上げている。そしてプラント本体上部には振動篩７を配設しており、該振動篩７により骨材を粒径別に篩い分け、内部に区画を設けた骨材貯蔵ビン８に粒径別に貯蔵している。
【０００３】
そして、骨材貯蔵ビン８に貯蔵した各種粒径の骨材を計量槽９に適宜払い出して所定量計量し、別途計量したアスファルトや石粉等の他の材料と共にミキサ１０に投入し、混合調整して所定のアスファルト合材として出荷している。
【０００４】
この時、プラント操作盤の記憶部には、出荷するアスファルト合材の品種に応じて骨材ホッパ１ａ〜１ｄよりの切り出し速度が予め登録されており、出荷開始となれば出荷予約されたアスファルト合材の品種に応じて切り出し速度が操作盤に設定され、その切り出し速度によって各骨材ホッパから骨材が切り出されるようになっている。
【０００５】
【発明が解決しようとする課題】
しかしながら、オペレ−タはプラント本体の骨材貯蔵ビンの貯蔵状況により骨材の切り出し割合を手動操作して変更することがある。この操作によって貯蔵量の少ないビンには多めの骨材が供給され、また貯蔵量の多いビンには少なめの骨材が供給されることになるが、この骨材供給操作が極端に行われると、骨材供給の粒度バランスが崩れ、骨材を粒度別に篩い分ける振動篩の特定の篩網に過大な負荷がかかり、篩能力を十分に発揮できず、また篩網よりの溢流も生じて骨材貯蔵ビンの各区画室に貯蔵する骨材の粒度構成が適正に維持されなくなる。
【０００６】
本発明は上記の点に鑑み、骨材ホッパの切り出し割合の変更の都度、各篩網の篩い分け能力に対する適否を判定することによって、骨材貯蔵ビンの各区画室に貯蔵する骨材の粒度構成が適正に維持されるようにしたアスファルトプラントにおける供給骨材の管理方法を提供することを目的とする。
【０００７】
【課題を解決するための手段】
本発明は上記の目的を達成するために、砕石、砂等の骨材を種類毎に貯蔵する複数の骨材ホッパより各種骨材を切り出し、加熱装置であるドライヤにより乾燥した後、プラント本体上部に配設した振動篩により粒径別に篩い分け、複数に区画された骨材貯蔵ビンの各区画室に前記骨材を粒径別に貯蔵するようにしたアスファルトプラントにおいて、前記各骨材ホッパから切り出される骨材の粒度構成、切り出し割合、及び総骨材供給量より振動篩の各サイズの篩網に供給される篩網別骨材供給量を演算する一方、振動篩の各サイズの篩網の篩い分け能力を予め記憶しておき、この各篩網の篩い分け能力と前記篩網別骨材供給量とを比較し、篩網別骨材供給量が各篩網の篩い分け能力を越える時には警報を出力するようにしたことを特徴としている。
【０００８】
【作用】
本発明によれば、各骨材ホッパよりの切り出し割合を変更する度に、骨材ホッパに貯蔵されている骨材の粒度構成、各骨材ホッパからの切り出し割合、及び総骨材供給量から振動篩の各篩網別に供給される骨材供給量を演算し、この篩網別骨材供給量が各篩網の篩い分け能力を越えるか否か判定し、篩い分け能力以上の骨材が供給されると警報を出力し、これによって篩に過負荷がかかっていることをオペレータに知らせて骨材供給操作の修正を促すようにしている。
【０００９】
【実施例】
以下、本発明の実施例を図面に基づいて説明する。
【００１０】
図１の１１は公知のアスファルトプラントの操作盤であって、該操作盤１１には供給骨材管理装置１２を組み込んでおり、該供給骨材管理装置１２は、各種データを入力するデータ入力部１３と、入力された各種データを記憶する記憶部１４と、各種データを比較演算処理する演算部１５と、演算した結果を表示したり警報音を出力したりする出力表示部１６を備えている。
【００１１】
そして、アスファルト合材を製造する前に、予め、図２に示すように、骨材ホッパ１ａ〜１ｄに貯蔵する骨材の種類毎、即ち、６号砕石、７号砕石及び川砂といった骨材種類毎の篩網の所定の網目サイズ、２０ｍｍ、１３ｍｍ、５ｍｍ、２．５ｍｍ、０．６ｍｍ、０．３ｍｍ、０．１５ｍｍ、０．０７４ｍｍに対する通過重量百分率を求めておく。
【００１２】
また、骨材ホッパ１ａ〜１ｄの粒度構成がわかれば出荷合材の品種毎に骨材ホッパよりの切り出し割合を算出できるので、出荷合材の品種毎に切り出し割合を予め決定しておく。例えば図２では、出荷合材は密粒配合で、６号砕石は３４％、７号砕石は３０％、川砂は２９％の切り出し割合を設定している。そして、予め、供給骨材管理装置１２の記憶部１４に骨材ホッパ１ａ〜１ｄに貯蔵する各骨材の粒度構成を記憶させると共に、出荷合材の品種毎にその切り出し割合を記憶させておく。このように骨材の切り出し割合を設定しておけば、運転開始時に出荷合材に対応する骨材切り出し割合を読み込み、この切り出し割合で骨材を切り出せば、出荷合材の品種に見合った骨材供給が行えて好都合となる。
【００１３】
また、振動篩の特性から振動篩７の各篩網の篩い分け能力を把握し、各篩網毎にその篩い分け能力（Ｔｏｎ／Ｈ）を記憶部１４に記憶させておく。なお、振動篩の能力は網目が小さくなるほど能力は減少し、また網目の長さ等にも関係する。また、網の上に能力以上の多量の骨材を供給すると、その網目を通過すべき骨材が、その下に多量の骨材が流れているために網目に近づけず、そのまま網の先端まで行ってしまって篩われないことになる。
【００１４】
そして、アスファルト合材の製造開始となれば、図３のフローチャートに示すように、先ず、供給骨材管理装置１２において骨材ホッパ１ａ〜１ｄに貯蔵する骨材の粒度構成を読み込む（Ｓ１）。続いて、出荷合材品種に対応する骨材切り出し割合も読み込む（Ｓ２）。そして骨材は所定の骨材切り出し割合（切り出し量）にて切り出されるのであるが、この骨材切り出し割合は適正値に設定されているので篩網に過負荷がかかることがなくて警報の必要はない。
【００１５】
そしてステップ３ではオペレ−タが各骨材ホッパ１ａ〜１ｄからの切り出し量の設定量を操作変更したか否かを見ており（Ｓ３）、変更がなければ変更待ちとなり、変更があると、変更した切り出し量に基づいて演算部１５において各骨材ホッパ１ａ〜１ｄにおける切り出し割合を演算する（Ｓ４）。
【００１６】
続いて、各骨材ホッパ１ａ〜１ｄにおける切り出し割合と切り出される骨材の粒度構成から図４に示すような骨材の通過重量百分率からなる合成粒度を演算し（Ｓ５）、この合成粒度の通過重量百分率より骨材貯蔵ビンの各区画室に対応した篩網への骨材供給割合を演算する（Ｓ６）。
【００１７】
この篩網への供給割合と骨材総供給量とから各篩網への骨材供給量を演算し（Ｓ７）、各篩網への骨材供給量と予め記憶させている篩網の篩い分け能力とを比較し（Ｓ８）、骨材供給量が篩い分け能力を越えているか否かを判断する（Ｓ９）。
【００１８】
そして骨材供給量が篩い分け能力を越えている場合には、出力表示部１６に警報音やメッセージを出力し（Ｓ１０）、篩網の能力以上の骨材が供給されていることをオペレータに知らせ、切り出し量の設定の修正を促す。なお、出力表示部１６には必要に応じて過負荷になっている篩網、また現在の切り出し割合や修正させるべき切り出し割合等の各種デ−タを表示してオペレ−タの運転修正の参考となるようにすると良い。
【００１９】
そして警報音等の出力を完了すると次のステップの操作終了の判断（Ｓ１１）に進む。また、骨材供給量が篩い分け能力を越えていない場合には、警報音等の出力をしないで操作終了の判断（Ｓ１１）に進む。操作を終了しない場合にはステップ４に戻って切り出し量の変更待ちとなり、終了する時にはＥＮＤに進み操作を終了する。
【００２０】
このように本発明によれば、振動篩の能力に見合った骨材供給をしている時には警報は出力されないが、オペレ−タが骨材貯蔵ビンの貯蔵状況により骨材の切り出し割合を大幅に変更して振動篩のどれかの篩網に過負荷がかかるようになると警報が出力されて運転修正を促すようになっており、これによって適切な骨材供給管理が可能となる。
【００２１】
【発明の効果】
以上のように本発明に係る供給骨材の管理方法にあっては、骨材ホッパ１ａ〜１ｄよりの骨材の切り出し割合を変更すると、切り出される骨材の粒度構成、切り出し割合、及び総骨材供給量から振動篩７の各サイズの篩網に供給される篩網別骨材供給量を演算する一方、振動篩７の各サイズの篩網の篩い分け能力を予め記憶しておき、この各篩網の篩い分け能力と前記篩網別骨材供給量とを比較し、この篩網別骨材供給量が篩網の篩い分け能力を越える場合には警報を出力するようにしたので、骨材ホッパよりの切り出し割合を過剰に変更した場合には篩網よりの溢流を生じるとの警報を受けることができ、熟練したオペレータでなくとも骨材の供給管理を容易に行うことができて骨材貯蔵ビンの各区画室に貯蔵する骨材の粒度構成を適正に維持することができる。
【図面の簡単な説明】
【図１】本発明を説明するアスファルトプラントの一実施例を示す説明図である。
【図２】骨材の粒度構成の一例を示す図表である。
【図３】本発明の供給骨材の管理方法の手順を示すフローチャートである。
【図４】演算により求めた合成粒度の一例を示す図表である。
【図５】公知のアスファルトプラントを説明する説明図である。
【符号の説明】
１ａ、１ｂ、１ｃ、１ｄ…骨材ホッパ
５…ドライヤ  ７…振動篩
８…骨材貯蔵ビン  １１…操作盤
１２…供給骨材管理装置
【図１】
0003718539.tif 000002
【図２】
0003718539.tif 000003
【図３】
0003718539.tif 000004
【図４】
0003718539.tif 000005
【図５】
0003718539.tif 000006